(57)【要約】【課題】複数の遊技媒体容器を積み重ねた際に、遊技媒体上に載置される上段の容器本体が滑り動くことを抑制し、遊技媒体容器の滑落を防止することができ、しかも、遊技媒体容器を重ね合わせた位置を後から容易にずらすことも可能であり、積み重ねる際に適宜最適な状態に位置決めすることができる遊技媒体容器を提供する。【解決手段】上面が開口した箱状の容器本体１０ａを有し、該容器本体１０ａの底面部１１の外壁側１１ａに、その周縁に沿って下方へ突設された接地座２１とは独立に離隔した位置で、該接地座２１の高さを越えない範囲で垂下しかつ細幅状に延びるリブ３１を形成し、容器本体１０ａを上下に積み重ねた際、下段の容器本体１０ａ内に収納された遊技媒体の最上層が、上段の容器本体１０ａのリブ３１に対して、その全長に亘り両側から挟む状態で互いに対向し合うと共に、リブ３１と接地座２１との間では、該接地座２１の内側全周に亘り連通する閉空間内で互いに密接し合うように、前記リブ３１を所定態様に配置させた。【選択図】図１
2006034588.tif 000002
【特許請求の範囲】
【請求項１】
遊技媒体を収納可能であり、該遊技媒体を収納した状態で上下に積み重ねることができる遊技媒体容器において、
上面が開口した箱状の容器本体を有し、該容器本体の底面部の外壁側に、その周縁に沿って下方へ突設された接地座とは独立に離隔した位置で、該接地座の高さを越えない範囲で垂下しかつ細幅状に延びるリブを形成し、
前記容器本体を上下に積み重ねた際、下段の容器本体内に収納された遊技媒体の最上層が、上段の容器本体の前記リブに対して、その全長に亘り両側から挟む状態で互いに対向し合うと共に、前記リブと前記接地座との間では、該接地座の内側全周に亘り連通する閉空間内で互いに密接し合うように、前記リブを所定態様に配置させることを特徴とする遊技媒体容器。
【請求項２】
前記リブが象る輪郭を、閉鎖形状であって、その内部に複数の遊技媒体が入り込める大きさに形成したことを特徴とする請求項１に記載の遊技媒体容器。
【請求項３】
前記閉鎖形状に形成したリブの内側に、該内側をさらに複数の遊技媒体がそれぞれ入り込める大きさの複数の区画に区分けするリブを形成したことを特徴とする請求項２に記載の遊技媒体容器。
【請求項４】
複数の前記閉鎖形状に形成したリブを、それぞれ前記接地座から略均等に離隔した位置に互いに分散させて配置させることを特徴とする請求項２または３に記載の遊技媒体容器。
【請求項５】
複数の前記閉鎖形状に形成したリブを、それぞれ前記接地座から略均等に離隔した位置に互いに近接ないし当接させて配置させることを特徴とする請求項２または３に記載の遊技媒体容器。
【発明の詳細な説明】
【技術分野】
【０００１】
本発明は、遊技媒体を収納可能であり、該遊技媒体を収納した状態で上下に積み重ねることができる遊技媒体容器に関する。
【背景技術】
【０００２】
従来より、遊技場に設置された遊技機、例えばパチンコ機には、パチンコ球（遊技媒体）を貯える受け皿が設けられているが、受け皿からオーバーフローするパチンコ球を収納したり、遊技の終了時にパチンコ球を景品球計数機まで運ぶための容器として、玉箱（遊技媒体容器）が用いられている。玉箱は、遊技機島の天板上に載置して、各パチンコ機の受け皿から排出させたパチンコ球を受け入れ、玉箱が満杯になると、遊技者は足元に玉箱を上下に積み重ねていた。
【０００３】
この種の玉箱としては、例えば、特許文献１に示すようなものが知られている。すなわち、合成樹脂からほぼ直方体型に一体成形された箱本体の内底面を凹凸粗面化することにより、その内底面における一方の長辺側から他方の長辺側に向かうパチンコ球の転がり移動を抑制したものである。特に大型の玉箱では、箱本体の外底面に接地座とは別個な補強リブが底面視の交錯形態等として設けられていた（特許文献の段落００１７参照）。
【０００４】
【特許文献１】特開平９−９９１６６号公報
【発明の開示】
【発明が解決しようとする課題】
【０００５】
しかしながら、前述したような特許文献１に記載の技術では、通常の大きさの玉箱の場合、箱本体の外底面は接地座が突出している以外は平滑面をなしているため（特許文献１の図９参照）、玉箱を上下に積み重ねて、下段の玉箱内に収納されたパチンコ球上に玉箱を載置すると、この上段の玉箱が滑りやすいことから、容易に傾いて重心がずれることが多く、上段側の玉箱が滑落してフロア上にパチンコ球が散乱する虞があった。
【０００６】
また、箱本体の内外底面が、波型あるいはジグザグ型の断面形状で造形されている場合（特許文献１の図１４，図１５参照）、この外底面に当接するパチンコ球がある程度滑りにくくはなるが、これらの断面形状では積極的にパチンコ球が引っ掛かるほどの滑り止めにはならず、やはり上段の玉箱が滑り動くことを防止するには不十分であった。
【０００７】
さらに、大型の玉箱において、外底面に補強リブが設けられている場合（特許文献１の図５，図８参照）、これらの補強リブは文字通り底面の補強を目的とするので、特許文献１の図中では明らかではないが、接地座とは当然一体に成形されているはずである。このような接地座と一体に連なる補強リブでは、玉箱を積み重ねる際に最も大きな抵抗となる接地座付近にて、さらに摺動抵抗を徒に増大させることになりかねず、玉箱を重ね合わせる際に、一度載置したら再度持ち上げなければ容易に位置をずらすことができず、積み重ねた後で適宜最適な状態に位置決めすることが面倒であった。
【０００８】
本発明は、以上のような従来技術が有する問題点に着目してなされたもので、複数の遊技媒体容器を積み重ねた際に、遊技媒体上に載置される上段の容器本体が滑り動くことを抑制し、遊技媒体容器の滑落を防止することができ、しかも、遊技媒体容器を重ね合わせた位置を後から容易にずらすことも可能であり、積み重ねる際に適宜最適な状態に位置決めすることができる遊技媒体容器を提供することを目的としている。
【課題を解決するための手段】
【０００９】
前述した目的を達成するための本発明の要旨とするところは、以下の各項の発明に存する。  
［１］遊技媒体を収納可能であり、該遊技媒体を収納した状態で上下に積み重ねることができる遊技媒体容器（１０）において、
上面が開口した箱状の容器本体（１０ａ）を有し、該容器本体（１０ａ）の底面部（１１）の外壁側（１１ａ）に、その周縁に沿って下方へ突設された接地座（２１）とは独立に離隔した位置で、該接地座（２１）の高さを越えない範囲で垂下しかつ細幅状に延びるリブ（３１，３１Ａ〜３１Ｑ）を形成し、
前記容器本体（１０ａ）を上下に積み重ねた際、下段の容器本体（１０ａ）内に収納された遊技媒体の最上層が、上段の容器本体（１０ａ）の前記リブ（３１，３１Ａ〜３１Ｑ）に対して、その全長に亘り両側から挟む状態で互いに対向し合うと共に、前記リブ（３１，３１Ａ〜３１Ｑ）と前記接地座（２１）との間では、該接地座（２１）の内側全周に亘り連通する閉空間内で互いに密接し合うように、前記リブ（３１，３１Ａ〜３１Ｑ）を所定態様に配置させることを特徴とする遊技媒体容器（１０）。
【００１０】
［２］前記リブ（３１，３１Ａ〜３１Ｐ）が象る輪郭を、閉鎖形状であって、その内部に複数の遊技媒体が入り込める大きさに形成したことを特徴とする［１］に記載の遊技媒体容器（１０）。
【００１１】
［３］前記閉鎖形状に形成したリブ（３１Ｈ，３１Ｊ，３１Ｌ，３１Ｎ）の内側に、該内側をさらに複数の遊技媒体がそれぞれ入り込める大きさの複数の区画に区分けするリブ（３１Ｉ，３１Ｋ，３１Ｍ，３１Ｐ）を形成したことを特徴とする［２］に記載の遊技媒体容器（１０）。
【００１２】
［４］複数の前記閉鎖形状に形成したリブ（３１，３１Ｂ〜３１Ｈ，３１Ｎ）を、それぞれ前記接地座（２１）から略均等に離隔した位置に互いに分散させて配置させることを特徴とする［２］または［３］に記載の遊技媒体容器（１０）。
【００１３】
［５］複数の前記閉鎖形状に形成したリブ（３１Ｊ）を、それぞれ前記接地座（２１）から略均等に離隔した位置に互いに近接ないし当接させて配置させることを特徴とする［２］または［３］に記載の遊技媒体容器（１０）。
【００１４】
前記本発明は次のように作用する。  
前記［１］に記載の遊技媒体容器（１０）によれば、その容器本体（１０ａ）を上下に積み重ねて、容器本体（１０ａ）内に収納された遊技媒体上に容器本体（１０ａ）を載置した場合に、下段の容器本体（１０ａ）内に収納された遊技媒体の最上層が、上段の容器本体（１０ａ）のリブ（３１，３１Ａ〜３１Ｑ）に対して、その全長に亘り両側から挟む状態で互いに対向し合う。これにより、細幅状に延びたリブ（３１，３１Ａ〜３１Ｑ）の全長に亘り遊技媒体が引っ掛かることになり、遊技媒体上に載置された上段の容器本体（１０ａ）が滑り動くことが抑制され、遊技媒体容器（１０）の滑落を防止することができる。
【００１５】
しかも、下段の容器本体（１０ａ）内に収納された遊技媒体は、上段の容器本体（１０ａ）のリブ（３１，３１Ａ〜３１Ｑ）と接地座（２１）との間では、該接地座（２１）の内側全周に亘り連通する閉空間内で互いに密接し合う。そのため、接地座と一体に連なる従来の補強リブにより区分けされたような閉空間に遊技媒体が閉じ込められた状態ではなく、接地座（２１）付近では一続きの広い閉空間内に遊技媒体が入り込む状態となるから、容器本体（１０ａ）を積み重ねる際に最も大きな抵抗となる接地座（２１）付近では、遊技媒体同士の動きの自由度がある程度確保される。従って、前述したように容器本体（１０ａ）が滑り動くことを防止できる反面、重ね合わせた位置をずらすことも可能であり、積み重ねる際に適宜最適な状態に位置決めすることができる。
【００１６】
前記リブ（３１，３１Ａ〜３１Ｐ）の所定態様としては、例えば前記［２］に記載したように、閉鎖形状であって、その内部に複数の遊技媒体が入り込める大きさに形成すると良い。これにより、リブ（３１，３１Ａ〜３１Ｐ）が象る閉鎖形状の輪郭内に入り込む複数の遊技媒体の動きが、前記輪郭内に限定されるので、容器本体（１０ａ）を上下に積み重ねた際に滑り動くことをいっそう確実に防止することができる。
【００１７】
ここで、リブ（３１，３１Ａ〜３１Ｐ）が象る輪郭としては、具体的には、円形、四角形、三角形等と、様々な閉鎖形状に形成することができる。また、リブ（３１，３１Ａ〜３１Ｐ）が象る閉鎖形状の大きさは、複数の遊技媒体が入り込める程度に、前記底面部（１１）の外壁側（１１ａ）の一部分を取り囲む大きさであれば足り、前記接地座（２１）内側の面積のうち、接地座（２１）から一定距離だけ離隔した範囲で広がる大きなもの、あるいは前記接地座（２１）内側の面積のうち半分にも満たない小さなもの等、何れでも良い。
【００１８】
また、前記［３］に記載したように、閉鎖形状に形成したリブ（３１Ｈ，３１Ｊ，３１Ｌ，３１Ｎ）の内側に、該内側をさらに複数の遊技媒体がそれぞれ入り込める大きさの複数の区画に区分けするリブ（３１Ｉ，３１Ｋ，３１Ｍ，３１Ｐ）を形成しても良い。これにより、複数の遊技媒体が入り込む範囲がさらに狭い範囲に限定されると共に、リブ（３１Ｈ〜３１Ｐ）に直接接触する遊技媒体の数も増大するので、容器本体（１０ａ）を上下に積み重ねた際に滑り動くことを、よりいっそう防止することができる。
【００１９】
具体的なリブ（３１Ｈ〜３１Ｐ）の態様としては、互いに相似形のリブ（３１Ｈ，３１Ｉ）を、入れ子式に大きいリブ（３１Ｈ）の中に小さいリブ（３１Ｉ）を配して年輪状に区画したり、大きいリブ（３１Ｌ）の中に複数の小さいリブ（３１Ｍ）を配しても良い。あるいはリブ（３１，３１Ａ〜３１Ｑ）の内側を、直線状、十字状、あるいは格子状のリブ（３１Ｐ）により幾何学的に区画しても良い。
【００２０】
また、前記［４］に記載したように、複数の前記閉鎖形状に形成したリブ（３１，３１Ｂ〜３１Ｈ，３１Ｎ）を、それぞれ前記接地座（２１）から略均等に離隔した位置に互いに分散させて配置しても良い。ここで複数の閉鎖形状のリブ（３１，３１Ｂ〜３１Ｈ，３１Ｎ）は、それぞれ同一の大きさや形状としたり、あるいは異なる大きさや形状としても良い。またリブ（３１，３１Ｂ〜３１Ｈ，３１Ｎ）の数は、２つ、３つ、あるいは４つ以上設けても良い。
【００２１】
何れにしろ、複数のリブ（３１，３１Ｂ〜３１Ｈ，３１Ｎ）を前記接地座（２１）から略均等に離隔した位置に互いに分散させて配置させることにより、複数のリブ（３１，３１Ｂ〜３１Ｈ，３１Ｎ）同士の間にも多数の遊技媒体が拘束され、また広範囲に分散して遊技媒体との摩擦抵抗を増すことになり、容器本体（１０ａ）を上下に積み重ねた際に滑り動くことをさらに確実に防止することができる。
【００２２】
さらにまた、前記［５］に記載したように、複数の前記閉鎖形状に形成したリブ（３１Ｊ）を、それぞれ前記接地座（２１）から略均等に離隔した位置に互いに近接ないし当接させて配置しても良い。ここで複数の閉鎖形状のリブ（３１Ｊ）は、互いに接触はしないが間近に対向した位置に近接させたり、また互いに角等を接点として一部のみを当接させても良く、あるいは互いの一辺全体を当接させるようにしても良い。
【００２３】
このように、複数の閉鎖形状のリブ（３１Ｊ）を、それぞれ前記接地座（２１）から略均等に離隔した位置に互いに近接ないし当接させて配置させれば、複数の閉鎖形状のリブ（３１Ｊ）がさらに大きな一群のリブ（３１Ｊ）として、多数の遊技媒体を拘束することができ、前記同様に容器本体（１０ａ）を上下に積み重ねた際に滑り動くことをさらに確実に防止することができる。
【発明の効果】
【００２４】
本発明に係る遊技媒体容器によれば、容器本体を上下に積み重ねて、容器本体内に収納された遊技媒体上に容器本体を載置した場合には、下段の容器本体内に収納された遊技媒体の最上層が、上段の容器本体のリブに対して、その全長に亘り両側から挟む状態で互いに対向し合うから、細幅状に延びたリブの全長に亘り遊技媒体が引っ掛かることになり、遊技媒体上に載置された上段の容器本体が滑り動くことが抑制され、遊技媒体容器の滑落を防止することができる。
【００２５】
しかも、下段の容器本体内に収納された遊技媒体は、上段の容器本体のリブと接地座との間では、該接地座の内側全周に亘り連通する閉空間内で互いに密接し合うから、容器本体を積み重ねる際に最も大きな抵抗となる接地座付近では、遊技媒体同士の動きの自由度がある程度確保される。従って、前述したように容器本体が滑り動くことを防止できる反面、重ね合わせた位置をずらすことも可能であり、積み重ねる際に適宜最適な状態に位置決めすることができる。
【００２６】
また、前記リブが象る輪郭を、前記底面部の外壁側の一部分を取り囲む閉鎖形状であって、その内部に複数の遊技媒体が入り込める大きさに形成すれば、リブが象る閉鎖形状の輪郭内に入り込む複数の遊技媒体の動きが、前記輪郭内に限定されるので、容器本体を上下に積み重ねた際に滑り動くことをよりいっそう確実に防止することができる。
【発明を実施するための最良の形態】
【００２７】
以下、図面に基づき、本発明を代表する各種実施の形態を説明する。  
図１〜図８は、本発明の第１実施の形態を示している。  
本実施の形態に係る遊技媒体容器１０は、多数の遊技媒体を収納可能であり、該遊技媒体を収納した状態で上下に積み重ねることができるものである。以下に、遊技機のうちパチンコ機で用いられるパチンコ球（遊技媒体）を収納するいわゆる「玉箱」として適用した例を説明する。
【００２８】
図１は、本実施の形態に係る遊技媒体容器１０を底面部１１の外壁側１１ａから見た斜視図であり、図２は、遊技媒体容器１０の底面図であり、図３は、遊技媒体容器１０の斜視図である。図４は、遊技媒体容器１０の平面図であり、図５は、遊技媒体容器１０の正面図であり、図６は、遊技媒体容器１０の側面図である。また図７は、遊技媒体容器１０を上下に重ね合わせた状態を示す正面図であり、図８は、遊技媒体容器１０の底面部１１の外壁側１１ａの作用を説明する説明図である。
【００２９】
図１〜図６に示すように、遊技媒体容器１０は、上面が開口した箱状の容器本体１０ａを有している。容器本体１０ａは、図示省略した遊技機島において、パチンコ機の受け皿と天板との間に載置し得る高さの箱状であり、透光性材質の合成樹脂等により成形されている。詳しく言えば、容器本体１０ａは、長方形の底面部１１と、底面部１１の一対の長辺より立ち上がる前後の側面部１２，１２と、底面部１１の一対の短辺より立ち上がる左右の端面部１３，１３とにより、上面が開口した箱状に一体成形されている。
【００３０】
容器本体１０ａの開口周縁には、略水平に外側へ張り出すフランジ状の枠部１４が形成されている。左右の端面部１３，１３の上端縁に連なる枠部１４の両端縁には、それぞれ枠部１４の短辺側の幅と同一幅でさらに略水平に延出し、先端側が緩やかに湾曲して、持ち運ぶ際に指を差し入れる凹み１５ａを備えた把持部１５が一体に形成されている。
【００３１】
また、前後の側面部１２，１２の上端縁に連なる枠部１４の前後縁には、それぞれの中央付近で下方へ所定幅に延出し、広告・宣伝に使用する印刷物を貼着可能な面積を有する表示部１６が一体に形成されている。この表示部１６には、例えば、新装開店の宣伝やファン感謝デーのお知らせや、遊技店名等、遊技場に関する広告・宣伝に関する各種情報を印刷したシート等を貼着したり、シルク印刷できるようになっている。
【００３２】
容器本体１０ａは、その上面の開口面積が底面部１１の面積よりも広く、前後の側面部１２，１２と左右の端面部１３，１３とで囲まれる内部空間の横断面積が上から下に漸次小さくなるように成形されている。このような構造により、複数の遊技媒体容器１０を上下に積み重ねる際に、上段となる遊技媒体容器１０の底面部１１側が、その下段となる遊技媒体容器１０の上面開口内に容易に嵌り込むように設定されている。
【００３３】
図１および図２に示すように、容器本体１０ａの底面部１１の外壁側１１ａには、その周縁に沿ってリブ状の接地座２１が下方へ突設されており、さらに接地座２１とは独立して離隔した位置に、該接地座２１の高さを越えない範囲で垂下し、かつ細幅状に延びるリブ３１が形成されている。
【００３４】
このようなリブ３１は、図７に示すように、容器本体１０ａを上下に積み重ねた際、下段の容器本体１０ａ内に収納されたパチンコ球の最上層が、上段の容器本体１０ａにある前記リブ３１に対して、その全長に亘り両側から挟む状態で互いに対向し合うと共に、前記リブ３１と前記接地座２１との間では、該接地座２１の内側全周に亘り連通する閉空間内（図８中に斜線で示す）で互いに密接し合うような所定態様に配置されている。
【００３５】
リブ３１自体の構成は、前記底面部１１の外壁側１１ａにおける表面（基準面）より細幅の突条として垂下するものであり、その幅（厚み）は、リブ３１を両側から挟める程度に設定されている。また高さは、パチンコ球がリブ３１に引っ掛かる程度に設定されている。従って、前記接地座２１の高さも、このようなリブ３１の高さ程度に設定すると良い。
【００３６】
リブ３１が象る輪郭は、閉鎖形状であって、その内部に複数のパチンコ球が入り込める大きさに形成されている。詳しくは図１および図２に示すように、本実施の形態ではリブ３１が象る輪郭は円形に形成されており、このような円形の閉鎖形状に形成された２つのリブ３１が、それぞれ前記接地座２１から略均等に離隔した位置に、互いに分散させて配置されている。
【００３７】
ここでリブ３１が象る輪郭としては、本実施の形態に係る円形に限られるものではなく、後述するが四角形、三角形等と、様々な閉鎖形状に形成することができる。また、リブ３１が象る閉鎖形状の大きさは、複数のパチンコ球が入り込める程度に、前記底面部１１の外壁側１１ａの一部分を取り囲む大きさであれば足りる。すなわち、本実施の形態のように、前記接地座２１内側の面積の半分にも満たない小さなものや、あるいは接地座２１から一定距離だけ離隔した大きな範囲に広がるものであっても良い。
【００３８】
本実施の形態では、２つの閉鎖形状に形成したリブ３１を、それぞれ前記接地座２１から略均等に離隔した位置に互いに分散させて配置したが、後述するように、複数の閉鎖形状に形成したリブを、それぞれ前記接地座２１から略均等に離隔した位置に互いに近接ないし当接させて配置しても良い。また後述するが、複数の閉鎖形状のリブ３１は、それぞれ同一の大きさ・形状とすれば良いが、あるいは異なる大きさや形状に形成しても良い。また閉鎖形状のリブの数は、２つ、３つ、あるいは４つ以上設けても良い。
【００３９】
また、図４に示すように、容器本体１０ａにおける底面部１１の内壁側１１ｂは、略水平な平滑面に形成されている。なお、底面部１１に、パチンコ球の一部を下方へ露出させて保持するための小孔を設けて、パチンコ球が小孔を通じ接地面に接地し、静電気を放電し得るように構成しても良い。
【００４０】
図３および図４に示すように、前後の側面部１２，１２の内壁側には、それぞれ中央に向かって外側へ張り出すように屈曲した凹部１２ａが形成されており、この長手側の側面部１２を下方へ傾けつつ景品球計数機（図示せず）へパチンコ球を投入する際、パチンコ球は凹部１２ａによって中央寄りに集まりつつ排出されるようになっている。
また、前後の側面部１２，１２と左右の端面部１３，１３との全周に亘って、内外壁で段状の線が現れる段部１７が形成されており、空の容器本体１０ａを上下に積み重ねた状態にした場合に、段部１７の内側に接地座２１が当接することにより、この状態で運搬しても安定させることができる。
【００４１】
次に、第１実施の形態に係る遊技媒体容器１０の作用を説明する。  
遊技場において、遊技機島のパチンコ機では受け皿にパチンコ球が貯められるが、受け皿と天板との間に遊技媒体容器１０を載置しておくことで、この遊技媒体容器１０に受け皿からオーバーフローしたパチンコ球を収納したり、遊技の終了時にパチンコ球を遊技媒体容器１０に収納して、景品球計数機まで持ち運ぶことができる。遊技者はパチンコ機での遊技中に遊技媒体容器１０がパチンコ球で満杯になると、その遊技媒体容器１０を足元に置き、満杯の遊技媒体容器１０が貯まる毎に上下に積み重ねることができる。
【００４２】
遊技媒体容器１０によれば、図７に示すように、容器本体１０ａを上下に積み重ねて、容器本体１０ａ内に収納されたパチンコ球上に容器本体１０ａを載置した場合、下段の容器本体１０ａ内に収納されたパチンコ球の最上層が、上段の容器本体１０ａのリブ３１（図１参照）に対して、その全長に亘り両側から挟む状態で互いに対向し合う。これにより、細幅状に延びたリブ３１の全長に亘りパチンコ球が引っ掛かることになり、パチンコ球上に載置された上段の容器本体１０ａが滑り動くことが抑制され、安定して傾かない状態に積み重なり遊技媒体容器１０の滑落を防止することができる。
【００４３】
しかも、下段の容器本体１０ａ内に収納されたパチンコ球は、上段の容器本体１０ａのリブ３１と接地座２１との間では、該接地座２１の内側全周に亘り連通する閉空間内（図８中に斜線で示す）で互いに密接し合う。そのため、接地座と一体に連なる従来の補強リブにより区分けされたような閉空間にパチンコ球が閉じ込められた状態ではなく、接地座２１付近では一続きの広い閉空間内（図８中に斜線で示す）にパチンコ球が入り込む状態となるから、容器本体１０ａを積み重ねる際に最も大きな抵抗となる接地座２１付近では、パチンコ球同士の動きの自由度がある程度確保される。
【００４４】
従って、前述したように、上下に積み重ねた上段側の容器本体１０ａが滑り動くことを防止できる反面、各容器本体１０ａを互いに重ね合わせた位置を、容器本体１０ａを持ち上げることなく比較的容易にずらすことも可能であり、新たに積み重ねる際に適宜最適な状態に位置決めすることができる。さらに、積み重ねた後からでも、全体の傾きを修正することができる。
【００４５】
図１および図２に示すように、前記リブ３１が象る輪郭は円形の閉鎖形状であって、その内部（図８中に薄墨色で示す）に複数のパチンコ球が入り込める大きさであるため、リブ３１が象る閉鎖形状の輪郭内に入り込む複数のパチンコ球の動きが、前記輪郭内に限定される。これにより、容器本体１０ａを上下に積み重ねた際に滑り動くことを、いっそう確実に防止することができる。
【００４６】
また、本実施の形態では、前記円形の閉鎖形状に形成した２つのリブ３１を、それぞれ前記接地座２１から略均等に離隔した位置に互いに分散させて配置したことにより、複数のリブ３１同士の間にも多数のパチンコ球が拘束され、また広範囲に分散してパチンコ球との摩擦抵抗を増すことになり、容器本体１０ａを上下に積み重ねた際に滑り動くことを、さらに確実に防止することができる。
【００４７】
図９は、本発明の第２実施の形態を示している。  
本実施の形態では、容器本体１０ａの底面部１１の外壁側１１ａにおいて、円形の閉鎖形状に形成した２つのリブ３１Ａを、それぞれ前記接地座２１から略均等に離隔した位置に互いに当接させて配置したものである。ここで２つのリブ３１Ａは、それぞれ外周一点で接触しているが、別の例として、互いに接触はしないが間近に対向した位置に近接させて配置しても良い。
【００４８】
このように、複数の閉鎖形状のリブ３１Ａを、それぞれ前記接地座２１から略均等に離隔した位置で、互いに近接ないし当接させて配置することにより、複数の閉鎖形状のリブ３１Ａがさらに大きな一群のリブとして、多数のパチンコ球を拘束することができる。従って、前記第１実施の形態と同様に、容器本体１０ａを上下に積み重ねた際に滑り動くことをさらに確実に防止することができる。なお、第１実施の形態と同種の部位には、同一符号を付して重複した説明を省略する。
【００４９】
図１０は、本発明の第３実施の形態を示している。  
本実施の形態では、容器本体１０ａの底面部１１の外壁側１１ａにおいて、正方形の閉鎖形状に形成した２つのリブ３１Ｂを、それぞれ前記接地座２１から略均等に離隔した位置で互いに離隔させて配置したものである。ここで２つのリブ３１Ｂは、それぞれ離隔しているが、別の例として、後述する図１６に示すように、２つの正方形の互いに向き合う一辺同士を当接させたり、それぞれ同方向に４５度回転させたような菱形として、互いに向き合う角同士を点接触させるように配置しても良い。もちろん、互いに接触はしないが間近に対向した位置に近接させて配置しても良い。
【００５０】
リブが象る輪郭は、円形や四角形等の基本的な閉鎖形状に限定されることはなく、本発明の第４実施の形態として、図１１に示すような樽形状を象るように直線と弧を組み合わせた形状のリブ３１Ｃとしたり、本発明の第５実施の形態として、図１２に示すような∞形状を象るように複数の弧を組み合わせた形状のリブ３１Ｄとしたりする等、様々な形状に形成することができる。また、複数のリブを設ける場合には、それぞれ全く同一の形状・大きさに限定されることはなく、本発明の第６実施の形態として、図１３に示すように、円形のリブ３１Ｅ（前記リブ３１と同一）と、正方形のリブ３１Ｆ（前記リブ３１Ｂと同一）とを組み合わせる等、異なる大きさや形状のリブを組み合わせても良い。
【００５１】
さらにまた、リブの数も前述した２つに限定されることはなく、前記接地座２１内側の面積のうち、接地座２１から一定距離だけ離隔した範囲で広がる大きなものや、逆に前述した２つのリブよりも小さくして、本発明の第７実施の形態として、図１４に示すように、３つの円形のリブ３１Ｇを等間隔で配置させても良い。もちろん、個々のリブをさらに小さくして、４つ、５つ、あるいは６つ以上設けるようにしても良い。
【００５２】
図１５は、本発明の第８実施の形態を示している。  
本実施の形態では、容器本体１０ａの底面部１１の外壁側１１ａにおいて、前記第１実施の形態と同様な２つの円形のリブ３１Ｈの内側に、それぞれの内側をさらに複数のパチンコ球がそれぞれ入り込める大きさの複数の区画に区分けする同心円形のリブ３１Ｉを形成したものである。
【００５３】
それにより、複数のパチンコ球が入り込む範囲がさらに狭い範囲に限定されると共に、一定面積内においてリブ３１Ｈ，３１Ｉに直接接触する遊技媒体の数も増大するので、容器本体を上下に積み重ねた際に滑り動くことをよりいっそうと防止することができる。本実施の形態では、互いに相似形である円形のリブ３１Ｈ，３１Ｉを、入れ子式に大きいリブ３１Ｈの中に小さいリブ３１Ｉを配して年輪状に区画しているが、互いに異なる形状の大きいリブの中に小さいリブを配置しても良い。
【００５４】
図１６に示す本発明の第９実施の形態では、大きい四角形のリブ３１Ｊの中に、小さい円形のリブ３１Ｋを配置することにより、互いに当接された２つの四角形のリブ３１Ｊの内側を、さらに複数のパチンコ球がそれぞれ入り込める大きさの複数の区画に区分けしても良い。
【００５５】
また、大きいリブの中に複数の小さいリブを配置することにより、１つのリブの内側を複数の区画に区分けしても良い。図１７に示す本発明の第１０実施の形態では、２つの円形を接合させたような形状の大きいリブ３１Ｌの中に、２つの小さいリブ３１Ｍを配置している。
【００５６】
あるいは、リブの内側を、直線状、十字状、あるいは格子状のリブにより幾何学的に区画しても良い。図１８に示す本発明の第１１実施の形態では、２つの円形のリブ３１Ｎ（前記リブ３１と同一）の内側を、それぞれ十字状のリブ３１Ｐによって４つの区画に区分けしている。
【００５７】
さらにまた、リブが象る輪郭は、前述したように各種閉鎖形状に限定されるものではなく、略コ字形、略Ｃ字形、あるいは略Ｌ字形等と、様々な開放形状に形成することもできる。図１９に示す本発明の第１２実施の形態では、２つの開放形状である十字形のリブ３１Ｑを、それぞれ前記接地座２１から略均等に離隔した位置に互いに離隔させて配置している。
【００５８】
以上のように、本発明の根幹を成すリブの所定態様は、様々な形状、大きさ、それに配置が考えられるものであり、もちろん前述した各種実施の形態に限定されるものではない。特に遊技媒体容器１０は、遊技媒体であるパチンコ球を収納する玉箱として説明してきたが、スロットマシンで用いる遊技媒体であるメダルを収納するものとして適用することも可能である。
【図面の簡単な説明】
【００５９】
【図１】本発明の第１実施の形態に係る遊技媒体容器を底面部の外壁側から見た斜視図である。
【図２】本発明の第１実施の形態に係る遊技媒体容器を示す底面図である。
【図３】本発明の第１実施の形態に係る遊技媒体容器を示す斜視図である。
【図４】本発明の第１実施の形態に係る遊技媒体容器を示す平面図である。
【図５】本発明の第１実施の形態に係る遊技媒体容器を示す正面図である。
【図６】本発明の第１実施の形態に係る遊技媒体容器を示す側面図である。
【図７】本発明の第１実施の形態に係る遊技媒体容器を上下に重ね合わせた状態を示す正面図である。
【図８】本発明の第１実施の形態に係る遊技媒体容器の底面部の外壁側の作用を説明する説明図である。
【図９】本発明の第２実施の形態に係る遊技媒体容器を示す底面図である。
【図１０】本発明の第３実施の形態に係る遊技媒体容器を示す底面図である。
【図１１】本発明の第４実施の形態に係る遊技媒体容器を示す底面図である。
【図１２】本発明の第５実施の形態に係る遊技媒体容器を示す底面図である。
【図１３】本発明の第６実施の形態に係る遊技媒体容器を示す底面図である。
【図１４】本発明の第７実施の形態に係る遊技媒体容器を示す底面図である。
【図１５】本発明の第８実施の形態に係る遊技媒体容器を示す底面図である。
【図１６】本発明の第９実施の形態に係る遊技媒体容器を示す底面図である。
【図１７】本発明の第１０実施の形態に係る遊技媒体容器を示す底面図である。
【図１８】本発明の第１１実施の形態に係る遊技媒体容器を示す底面図である。
【図１９】本発明の第１２実施の形態に係る遊技媒体容器を示す底面図である。
【符号の説明】
【００６０】
１０…遊技媒体容器
１０ａ…容器本体
１１…底面部
１１ａ…外壁側
１１ｂ…内壁側
１２…側面部
１２ａ…凹部
１３…端面部
１４…枠部
１５…把持部
１５ａ…凹み
１６…表示部
１７…段部
２１…接地座
３１…リブ
３１Ａ…リブ
３１Ｂ…リブ
３１Ｃ…リブ
３１Ｄ…リブ
３１Ｅ…リブ
３１Ｆ…リブ
３１Ｇ…リブ
３１Ｈ…リブ
３１Ｉ…リブ
３１Ｊ…リブ
３１Ｋ…リブ
３１Ｌ…リブ
３１Ｍ…リブ
３１Ｎ…リブ
３１Ｐ…リブ
３１Ｑ…リブ
【図１】
2006034588.tif 000003
【図２】
2006034588.tif 000004
【図３】
2006034588.tif 000005
【図４】
2006034588.tif 000006
【図５】
2006034588.tif 000007
【図６】
2006034588.tif 000008
【図７】
2006034588.tif 000009
【図８】
2006034588.tif 000010
【図９】
2006034588.tif 000011
【図１０】
2006034588.tif 000012
【図１１】
2006034588.tif 000013
【図１２】
2006034588.tif 000014
【図１３】
2006034588.tif 000015
【図１４】
2006034588.tif 000016
【図１５】
2006034588.tif 000017
【図１６】
2006034588.tif 000018
【図１７】
2006034588.tif 000019
【図１８】
2006034588.tif 000020
【図１９】
2006034588.tif 000021